(57)【特許請求の範囲】
【請求項１】
着脱自在なバッテリーを駆動源とする電子機器であって、
前記電子機器本体に対し開閉及び回動可能な表示部と、
前記バッテリーを収納したときに、前記表示部の表示面の裏面にて、収納したバッテリーの少なくとも一面が前記電子機器の外装面の一部となるように前記バッテリーを収納する凹形状のバッテリー収納部とを有することを特徴とする電子機器。
【請求項２】
前記バッテリー収納部から前記バッテリーを取り外すリリース手段を有し、
前記リリース手段は、前記表示面が内側となる回動状態で前記表示部を前記電子機器本体に対して閉じた状態でのみ動作し、前記表示面が外側となる回動状態で前記表示部を前記電子機器本体に対して閉じた状態では動作しないことを特徴とする請求項１に記載の電子機器。
【請求項３】
前記リリース手段は、前記電子機器本体に設けられる操作部材と、前記操作部材への操作によって突出する突起部と、前記バッテリー収納部に収納された前記バッテリーをロックするロック部材を有し、前記表示面が内側となる回動状態で前記表示部を前記電子機器本体に対して閉じた状態では、前記操作部材への操作によって前記突起部が突出するのに伴い前記ロック部材が移動することで前記バッテリーのロックが解除されることを特徴とする請求項２に記載の電子機器。
【請求項４】
前記突出部は、前記電子機器本体における当該電子機器本体に対して閉じた状態の前記表示部の表示面に対向しない面から、当該表示部に向けて突出するように設けられ、
前記ロック部材は、前記操作部材への操作によって突出した前記突起部に前記表示部の所定の位置が押下されることで前記バッテリーのロックが解除されるように移動することを特徴とする請求項３に記載の電子機器。
【請求項５】
前記所定の位置は、前記表示面が外側となる回動状態で前記表示部を前記電子機器本体に対して閉じた状態では前記操作部材への操作によって突出した前記突起部に押下されない位置であることを特徴とする請求項４に記載の電子機器。
【発明の詳細な説明】
【技術分野】
【０００１】
本発明は電子機器に関し、特にバッテリーが着脱可能に装着される電子機器に関する。
【背景技術】
【０００２】
近年のビデオカメラは、撮影時および再生時に手軽に映像を確認できる液晶モニタを備え、バッテリーを容易に着脱できるようにビデオカメラ本体の側面にバッテリーを装着する形態が普及している。このような形態のビデオカメラは、ビデオカメラ本体を保持するためのグリップ部がある側面と反対側の側面に液晶モニタを備えるため、後端面にバッテリーを装着する形態が多い。また、特許文献１のようにバッテリーをビデオカメラ本体内に収納する形態も考案されている。
【特許文献１】特開２００５−３９３４１号公報
【発明の開示】
【発明が解決しようとする課題】
【０００３】
しかしながら、バッテリーをファインダー側の側面に装着する形態やビデオカメラ本体内に収納する形態などのようにバッテリーがビデオカメラ本体に接する場合、ビデオカメラの使用中にバッテリーがビデオカメラ本体の熱を受けてしまう。そのため、ビデオカメラ使用後にバッテリーの充電を行おうとしてもバッテリーが熱くなっており、効率的に充電を行うためにはバッテリーが冷めるまでの待機時間を設ける必要があった。本発明は、そのような問題を解決するためになされたものであり、その目的は、使用直後のバッテリーを素早く効率的に充電可能な状態にすることである。
【課題を解決するための手段】
【０００４】
本発明の電子機器は、着脱自在なバッテリーを駆動源とする電子機器であって、前記電子機器本体に対し開閉及び回動可能な表示部と、前記バッテリーを収納したときに、前記表示部の表示面の裏面にて、収納したバッテリーの少なくとも一面が前記電子機器の外装面の一部となるように前記バッテリーを収納する凹形状のバッテリー収納部とを有することを特徴としている。
【発明の効果】
【０００５】
以上説明したように、本発明によれば、使用直後のバッテリーを素早く効率的に充電可能な状態にすることができる。
【発明を実施するための最良の形態】
【０００６】
図１は本発明の実施形態であるビデオカメラの構成図である。図１に示すビデオカメラは、ビデオカメラ本体１の側面に液晶モニタ２（表示部）を設けている。液晶モニタ２は、ビデオカメラ本体１と図示されていないヒンジ部によって結合され、ヒンジ部を回動支点として液晶モニタ２が開く角度を自由に設定できる。そのため、ユーザは撮影時に液晶モニタ２の表示面を見やすい角度に設定でき、映し出される画像を見ながら撮影することができる。さらに、液晶モニタ２は、ヒンジ部を回動中心にして１８０度反転することができるので、ユーザは撮影被写体側からも撮影画像を見ることができる。液晶モニタ２を収納する際には、液晶モニタ２の表示面をビデオカメラ本体１側に向けた状態、すなわち、表示面を内側に向けた状態だけでなく、ヒンジ部を回動中心にして１８０度反転した状態でもビデオカメラ本体１に収納することができる。図１は、液晶モニタ２の表示面をビデオカメラ本体１側に向けた状態である。
【０００７】
ビデオカメラの駆動源であるバッテリー４を収納するバッテリー収納部３は、液晶モニタ２の表示面の裏面に設けられている。この構成により、ビデオカメラ使用時に液晶モニタ２を開くことでバッテリー収納部３に収納されたバッテリー４はビデオカメラ本体１が発する熱を受けにくくなる。さらに、バッテリー４の一面がビデオカメラの外装面の一部となる位置にバッテリー４は収納されるので、本体内部に収納する場合に比べバッテリー４の放熱効果が高くなる。バッテリー４は、後述するバッテリーロック部８（ロック部材）と係合する図示していない係合部が設けられており、係合部がバッテリーロック部８と係合することでバッテリー４はバッテリー収納部３に保持される。
【０００８】
次に、バッテリー収納部３から収納されたバッテリー４を取り外すための構成を説明する。図２は、液晶モニタ２を開いた状態のビデオカメラを液晶モニタ２が設けられた側面側から見た図である。ビデオカメラ本体１の液晶モニタ２が設けられた側面側にはバッテリーリリースボタン５（操作部材）および突起部６が設けられている。バッテリーリリースボタン５を図２における左方向へスライドさせることにより、突起部６がビデオカメラ本体１内から突出する。突起部６は、ビデオカメラ本体１の液晶モニタ２を収納する部分であって、液晶モニタ２の表示面をビデオカメラ本体１側に向けて収納した状態で表示面と対向していない面に設けられる。液晶モニタ２がビデオカメラ本体１に収納された状態でバッテリーリリースボタン５を左方向へスライドさせ、突起部６が後述するバッテリーロック解除スイッチ７を押下することでバッテリー４を取り外すことができる。
【０００９】
突起部６の破損を防ぐため、液晶モニタ２がビデオカメラ本体１に収納された状態でのみバッテリーリリースボタン５が動作するように制限をかけることも可能である。
【００１０】
図３は、バッテリー収納部３にバッテリー４を収納していない状態を示した図である。バッテリー収納部３には、バッテリーロック部８およびゴムブッシュ９が設けられている。バッテリーロック部８は、バッテリーロック解除スイッチ７を押下されると図３における上方向へスライドする。それにより、バッテリー４に設けられた係合部とバッテリーロック部８との係合がはずれバッテリー４のロックが解除される。ゴムブッシュ９は、バッテリー４をバッテリー収納部３から押し出すように付勢されている。バッテリー４は、ロックが解除されるとゴムブッシュ９により押し出され、バッテリー収納部３から外れる。
【００１１】
バッテリー４を取り外すための構成を以上のようにすることで、液晶モニタ２が開いた状態ではバッテリー４がバッテリー収納部３から外れることはなく、液晶モニタ２を操作時に誤ってバッテリー４を外してしまうことを防ぐことができる。
【００１２】
また、液晶モニタ２をビデオカメラ本体１に収納した状態であっても表示面が外側を向いている場合は、バッテリーリリースボタン５を左方向へスライドしても突起部６がバッテリーロック解除スイッチ７を押下することはなくバッテリー４のロックは解除されない。そのため、例えば、液晶モニタ２を表示面が外側になるようにビデオカメラ本体１に収納して再生画像を見ている場合に、誤ってバッテリーリリースボタン５を操作してバッテリー４を外してしまうことを防ぐことができる。
【００１３】
本実施形態では、ビデオカメラを例示して説明を行ったが、本発明はビデオカメラに限ったものではなく、画像表示部が電子機器本体に対して開閉可能に設けられバッテリーが着脱可能に装着される電子機器であれば適用可能である。
【００１４】
また、液晶モニタ２が開いた状態ではバッテリー４を取り外すことができないように突起部６とバッテリーロック解除スイッチ７を設けたが、液晶モニタ２が開いた状態でバッテリー４を取り外すことができない構成であればこの構成でなくてもよい。例えば、液晶モニタ２の開閉状態を検知する手段を設け、液晶モニタ２が閉じた状態でかつ液晶モニタ２の表示面がビデオカメラ本体１側を向いていると検知した場合のみ、バッテリー４のロックを解除するようにしてもよい。また、液晶モニタ２の開閉状態を検知する手段を設け、液晶モニタ２が閉じた状態でかつ液晶モニタ２の表示面がビデオカメラ本体１の側を向いていると検知した場合のみバッテリーリリースボタン５が動作するようにしてもよい。このとき、バッテリーリリースボタン５および突起部６を液晶モニタ２に設けてもよい。
【図面の簡単な説明】
【００１５】
【図１】本発明の実施形態であるビデオカメラの構成図
【図２】液晶モニタ２を開いた状態のビデオカメラを液晶モニタ２が設けられた側面側から見た図
【図３】バッテリー収納部３にバッテリー４を収納していない状態を示した図
【符号の説明】
【００１６】
１  ビデオカメラ本体
２  液晶モニタ
３  バッテリー収納部
４  バッテリー
５  バッテリーリリースボタン
６  突起部
７  バッテリーロック解除スイッチ
８  バッテリーロック部
９  ゴムブッシュ
【図１】
0005078457.tif 000002
【図２】
0005078457.tif 000003
【図３】
0005078457.tif 000004